(57)【要約】【課題】切削抵抗を低減して切削加工を良好に行うことができるとともに、多くの切刃を順次主切刃として使用することにより使用コストを低減することができる切削インサートを提供する。【解決手段】被切削材に平面加工を施す切削工具に装着される切削インサート１０であって、外形が八角形平板状をなして２つの八角形面１１とこれら２つの八角形面１１と直交する側面とを有し、八角形面１１と側面との交差稜線部に切刃１３が設けられ、切刃１３の内側には、八角形面１１から凹むようにブレーカ溝１４が形成されており、八角形面１１には、ブレーカ溝１４を分割するように、八角形面１１中央部から各角部に向けて延びるフラットランド部１８が設けられており、ブレーカ溝１４は、側面に対向する側から見て、フラットランド部１８から離れるにしたがい八角形面１１から漸次後退するように傾斜する傾斜面を有していることを特徴とする。【選択図】図１
2007260788.tif 000002
【特許請求の範囲】
【請求項１】
被切削材に平面加工を施す切削工具に装着される切削インサートであって、
外形が八角形平板状をなして２つの八角形面とこれら２つの八角形面と直交する側面とを有し、前記八角形面と前記側面との交差稜線部に切刃が設けられ、該切刃の内側には、前記八角形面から凹むようにブレーカ溝が形成されており、
前記八角形面には、前記ブレーカ溝を分割するように、前記八角形面中央部から各角部に向けて延びるリブ状のフラットランド部が設けられており、
前記ブレーカ溝は、前記側面に対向する側から見て、前記フラットランド部から離れるにしたがい該ブレーカ溝が形成された前記八角形面から漸次後退するように傾斜する傾斜面を有していることを特徴とする切削インサート。
【請求項２】
前記ブレーカ溝は、前記側面に対向する側から見て、前記ブレーカ溝の両端に配置された前記フラットランド部から離れるにしたがいそれぞれ前記八角形面から後退するように傾斜する一対の傾斜面を有してＶ字状に形成されていることを特徴とする請求項１に記載の切削インサート。
【請求項３】
前記角部に設けられた前記フラットランド部の辺稜部には、副切刃が形成され、該フラットランド部は、前記八角形面に対向する方向から見て、該角部に交差する前記切刃の交差角よりも大きな角度で交差する凸Ｖ字状とされていることを特徴とする請求項１または請求項２に記載の切削インサート。
【請求項４】
前記側面に対向する側から見て、前記ブレーカ溝の前記傾斜面と前記八角形面とがなす角度αが、０°＜α≦１５°の範囲内に設定されていることを特徴とする請求項１から請求項３のいずれかに記載の切削インサート。
【請求項５】
請求項１から請求項４のいずれかに記載の切削インサートが装着される切削工具であって、
軸線回りに回転される工具本体を有し、該工具本体の先端外周部に複数の凹部が形成され、これら複数の凹部の工具回転方向後方側に取付座がそれぞれ形成され、
該取付座には、前記切削インサートが、前記切刃のひとつを工具本体から突出するように配置されていることを特徴とする切削工具。
【請求項６】
前記取付座の工具回転方向後方側には、前記切削インサートを固定するためのクサビ部材が配置されていることを特徴とする請求項５に記載の切削工具。
【請求項７】
前記取付座の工具本体後端側及び工具本体径方向内側には、前記切削インサートの側面が当接されるインサート受け面が形成されていることを特徴とする請求項５または請求項６に記載の切削工具。
【発明の詳細な説明】
【技術分野】
【０００１】
本発明は、被切削材に平面加工を施す際に使用されるフライスカッター等の切削工具に装着される切削インサート及びこの切削インサートが装着された切削工具に関する。
【背景技術】
【０００２】
従来、前記のような平面加工を施す切削工具として、複数の切削インサートが装着されたフライスカッターが使用されている。この種のフライスカッターにおいては、円盤状の工具本体の先端部外周に形成された多数のチップポケット及び取付座に、超硬合金等の硬質材料より成る切削インサートが着脱可能に装着されており、工具本体をその軸線回りに高速回転するとともに軸線と交差する方向に送りを与えることにより、前記切削インサートの工具本体径方向外側に向けられた主切刃と前記軸線と略直交するように配置された副切刃とによって被切削材を切削するものである。
【０００３】
このような切削工具では、外形が概略四角形平板状をなし、この四角形面の辺稜部に切刃が形成された切削インサートが広く使用されている（特許文献１参照）。このような切削インサートは、四角形面をすくい面として工具回転方向前方側に向けられ、工具本体径方向外側に向けられた切刃が主切刃とされ、工具本体先端側に向けられて前記軸線と略直交するように配置された切刃が副切刃とされる。
【特許文献１】特開２００３−００１５１２号公報
【発明の開示】
【発明が解決しようとする課題】
【０００４】
ところで、前述したような切削インサートとしては、切刃に連なる側面に逃げ角が付されたポジティブタイプの切削インサートと、前記側面に逃げ角が付されていないネガティブタイプの切削インサートとが提供されている。
ポジティブタイプの切削インサートは、一方の四角形面がすくい面とされ、このすくい面とされた一方の四角形面に連なる側面は、他方の四角形面に近づくにしたがい漸次切削インサートの内側へと後退するように傾斜させられており、切削インサートの外形は概略四角錐台状をなしている。
【０００５】
このようなポジティブタイプの切削インサートを使用した場合、逃げ角が付されているので、切削インサートをアキシャルレーキ角及びラジアルレーキ角を正として工具本体に装着することができ、切削時の切削抵抗を低減して工具本体に生じる振動を抑制し、かつ、切屑排出性を良好に保つことができる。また、切れ味が良く、切削加工した仕上げ面を滑らかに仕上げることができる。
【０００６】
しかしながら、ポジティブタイプの切削インサートでは、刃先角が小さくならざるを得ず刃先強度が低下してしまって、過大な切削抵抗が作用した際に切刃の欠損が生じやすい。また、一方の四角形面の辺稜部に切刃が形成されており、この一方の四角形面の４つの切刃を順次主切刃として使用することしかできず切削インサートの寿命が比較的短く、切削インサートの使用コストが増大するといった問題があった。
【０００７】
一方、ネガティブタイプの切削インサートでは、２つの四角形面のそれぞれの辺稜部に切刃が形成され、側面が前記四角形面と略直交するように配置されており、切削インサートの外形は概略四角柱状状をなしている。
このようなネガティブタイプの切削インサートにおいては、刃先角が大きくなって刃先強度を確保でき、切削抵抗による切刃の欠損を防止できる。また、２つの四角形面のそれぞれの辺稜部に切刃が形成されており、一方の四角形面の４つの切刃及び他方の四角形面の４つの切刃の合計８つの切刃を順次主切刃として使用でき、切削インサートの使用コストを低減することができる。
【０００８】
しかしながら、ネガティブタイプの切削インサートでは、ラジアルレーキ角及びアキシャルレーキ角を負側に設定する必要があり、切削時の切削抵抗が大きくなってしまい、工具本体に切削抵抗による振動が発生して切削加工を精度よくできなくなる。また、過大な切削抵抗によってインサートのみでなく工具本体が破損してしまうおそれがあった。さらには、切れ味が劣るために切削加工した仕上げ面が粗くなるといった問題もあった。
【０００９】
このように、従来は、被切削材の材質や切削条件によって、ポジティブタイプの切削インサートとネガティブタイプの切削インサートを使い分けており、誤った切削インサートを使用した場合には、切削インサートの欠損、工具本体の破損、被切削材の損傷などのトラブルが発生していた。
【００１０】
この発明は、前述した事情に鑑みてなされたものであって、切削抵抗を低減して切削加工を良好に行うことができるとともに、多くの切刃を順次主切刃として使用することにより使用コストを低減することができる切削インサート及びこの切削インサートが装着された切削工具を提供することを目的とする。
【課題を解決するための手段】
【００１１】
この目的を達成するために、本発明の切削インサートは、被切削材に平面加工を施す切削工具に装着される切削インサートであって、外形が八角形平板状をなして２つの八角形面とこれら２つの八角形面と直交する側面とを有し、前記八角形面と前記側面との交差稜線部に切刃が設けられ、該切刃の内側には、前記八角形面から凹むようにブレーカ溝が形成されており、前記八角形面には、前記ブレーカ溝を分割するように、前記八角形面中央部から各角部に向けて延びるリブ状のフラットランド部が設けられており、前記ブレーカ溝は、前記側面に対向する側から見て、前記フラットランド部から離れるにしたがい該ブレーカ溝が形成された前記八角形面から漸次後退するように傾斜する傾斜面を有していることを特徴としている。
【００１２】
この構成の切削インサートにおいては、外形が八角形平板状をなして２つの八角形面と、２つの八角形面と直交する側面を有し、これら八角形面と側面との交差稜線部に切刃が設けられたネガティブタイプの切削インサートとされているので、刃先角が大きくなって刃先強度を確保でき、切削抵抗による切刃の欠損を防止できる。また、２つの八角形面と側面との交差稜線部にそれぞれ切刃が形成されているので、一方の八角形面の８つの切刃及び他方の八角形面の８つの切刃の合計１６の切刃を順次主切刃として使用でき、切削インサートの使用コストを大幅に低減することができる。
【００１３】
さらに、それぞれの切刃の内側に設けられたブレーカ溝が、各角部に延びるリブ状のフラットランド部によって分割されているので、切刃によって生成された切屑が他の切刃の内側に形成されたブレーカ溝に流れ込んで他の切刃を損傷することがなく、複数の切刃を確実に順次使用することができる。
そして、ブレーカ溝が、側面に対向する側から見て、フラットランド部から離れるにしたがい漸次前記八角形面から後退するように傾斜する傾斜面を有しているので、切削インサートを従来のネガティブタイプのインサートと同様に装着した場合でも、主切刃のアキシャルレーキ角を正側にすることができ、切削抵抗を小さく抑えて切削加工を良好に行うことができる。
【００１４】
ここで、前記ブレーカ溝を、前記側面に対向する側から見て、前記ブレーカ溝の両端に配置された前記フラットランド部から離れるにしたがいそれぞれ前記八角形面から凹むように傾斜した一対の傾斜面を有するＶ字状に形成することにより、この切削インサートを、例えば右回転の切削工具にだけでなく左回転の切削工具にも適用しても、前述のように外周切刃のアキシャルレーキ角を正側にすることができ、切削抵抗を小さく抑えて切削加工を良好に行うことができる。
【００１５】
また、前記角部に設けられた前記フラットランド部の辺稜部に副切刃を形成し、該フラットランド部を、前記八角形面に対向する方向から見て、該角部に交差する前記切刃の交差角よりも大きな角度で交差する凸Ｖ字状とすることにより、一つの切刃を主切刃として使用した場合に、これに隣接して工具本体先端側に向けられた切刃が被切削材と接触することが防止され、８つの切刃を順に主切刃として使用することができ、切削インサートの使用コストを確実に低減することができるとともに、切刃の強度を確保して切刃の欠損を防止できる。
【００１６】
さらに、前記側面に対向する側から見て、前記ブレーカ溝の前記傾斜面と前記八角形面とがなす角度αを、０°＜α≦１５°の範囲内に設定することにより、ネガティブタイプの切削インサートを切刃傾き角及び真のすくい角が負となるように装着した場合でも、アキシャルレーキ角を正側に向けることができ、切削抵抗を確実に低減して切削加工を良好に行うことができるとともに、切刃の強度が確保されて切削抵抗による切刃の欠損を確実に防止できる。
【００１７】
また、本発明の切削工具は、前述した切削インサートが装着される切削工具であって、軸線回りに回転される工具本体を有し、該工具本体の先端外周部に複数の凹部が形成され、これら複数の凹部の工具回転方向後方側に取付座がそれぞれ形成され、該取付座には、前記切削インサートが、前記切刃のひとつを工具本体から突出するように配置されていることを特徴としている。
【００１８】
この構成の切削工具においては、前記切削インサートを取付座に装着して、工具本体から突出された切刃を主切刃として使用して、被切削材の平面加工を行うことができ、前述したように切削抵抗を低減できるとともに、切削インサートの使用コストを低減することができる。
【００１９】
ここで、前記取付座の工具回転方向後方側に、前記切削インサートを固定するためのクサビ部材を配置することにより、切削インサートをクサビ部材と取付座とによって挟持して固定することができる。この際には、切削インサートの角部に達するようにフラットランド部が形成されているので、クサビ部材からの切削インサートの突出量、いわゆるオーバーハング量を小さくすることができ、切削抵抗をこのクサビ部材で受けることになり切削抵抗による切刃の欠損を防止できる。
【００２０】
さらに、前記取付座の工具本体後端側及び工具本体径方向内側に、前記切削インサートの側面が当接されるインサート受け面を形成することにより、この切削インサートの２つの側面を当接面に当接させることで切削インサートの主切刃の位置を確定することができ、この切削工具の切刃の位置を精度良く一致させることができる。
【発明の効果】
【００２１】
本発明によれば、切削抵抗を低減して切削加工を良好に行うことができるとともに、多くの角部を順次使用することにより使用コストを低減できる切削インサート及びこの切削インサートが装着された切削工具を提供することができる。
【発明を実施するための最良の形態】
【００２２】
本発明の第１の実施形態について添付した図面を参照して説明する。図１から図４に本実施形態である切削インサートを示す。また、図５から図８に、この切削インサートが装着されて構成されるフライスカッター（切削工具）を示す。
切削インサート１０は、超硬合金等の硬質材料によって構成され、図１及び図２に示すように、外形が概略八角形平板状をなしており、２つの八角形面１１と、これら２つの八角形面１１と直交するように配置された８つの側面１２とを備えた、いわゆるネガティブインサートである。
【００２３】
八角形面１１と側面１２との交差稜線部、つまり、八角形面１１の辺稜部に切刃１３が形成されており、本実施形態においては、ひとつの八角形面１１に８つの切刃１３が形成され、切削インサート１０全体で１６の切刃１３を有することになる。
この切刃１３の内側部分には、前記八角形面１１から凹んだブレーカ溝１４が形成されている。前記ブレーカ溝１４は、八角形面１１の中央部分から各角部へと延びるように形成されたリブ状のフラットランド部１８によって分割され、切刃１３ごとに独立して設けられており、ひとつの八角形面１１に８つのブレーカ溝１４が形成されている。なお、前記フラットランド部１８の上面は八角形面１１と同一平面上となるように配置されている。
【００２４】
この切削インサート１０を側面視した場合には、図３に示すように、ブレーカ溝１４は、前記フラットランド部１８から離れるにしたがい漸次八角形面１１から凹むように後退した傾斜面１５を有しており、本実施形態では、ブレーカ溝１４の両端に位置するフラットランド部１８から離れるにしたがい漸次八角形面１１から凹むように後退した一対の傾斜面１５、１５を有しており、この一対の傾斜面１５、１５によってブレーカ溝１４は側面視して概略Ｖ字状をなすように形成され、このブレーカ溝１４に連なる切刃１３も概略Ｖ字状をなしている。ここで、フラットランド部１８の上面と傾斜面１５とがなす角度θは、０°＜α≦１５°の範囲内に設定されており、本実施形態ではα＝８°に設定されている。
【００２５】
このブレーカ溝１４を切刃１３に直交する断面で見た場合には、図４に示すように、ブレーカ溝１４は、切刃１３から離れるにしたがい八角形面１１から凹むように傾斜した傾斜部１６と曲率半径Ｒ１で凹んだ凹曲線部１７とを有することになる。ここで、八角形面１１と傾斜部１６とがなす角度βは、０°＜β≦１５°の範囲内に設定されており、本実施形態ではβ＝１０°に設定されている。また、凹曲線部１７の曲率半径Ｒ１は、３ｍｍ≦Ｒ１≦１０ｍｍの範囲内に設定されており、本実施形態ではＲ１＝５ｍｍに設定されている。
【００２６】
さらに、八角形面１１の角部、つまり、前記フラットランド部１８の辺稜部には、長さδの一対の副切刃１９が切刃１３に連なるように形成されており、これらの副切刃１９は、八角形面１１に対向する側から見て図１に示すように、前記切刃１３に対してそれぞれ角度γだけ内側に傾斜するように配置されていて、フラットランド部１８は凸Ｖ字状をなしている。なお、本実施形態においては、前記角度γはγ＝３°に設定されており、隣り合う一対の切刃１３同士の延長線の交差角１３５°に対して、隣り合う副切刃１９同士の延長線の交差角は１４１°と大きくされている。なお、副切刃１９同士が交差する部分は、これら副切刃１９に滑らかに接する凸円弧とされている。
【００２７】
次に、この切削インサート１０が装着されて構成されるフライスカッター２０について説明する。フライスカッター２０は、図５及び図６に示すように、軸線Ｏを中心とした概略円盤状をなす工具本体２１を有している。工具本体２１には、軸線Ｏに沿って延びる貫通孔２２が穿設されており、貫通孔２２の工具本体２１先端側（図５において下側）には貫通孔２２よりも内径が大きくされた大径孔２３が形成されている。これら貫通孔２２と大径孔２３とが、この工具本体２１を図示しない工作機械の主軸端等に取り付けるための取付部を構成している。
【００２８】
工具本体２１の先端側外周には、工具本体２１が切り欠かれて工具本体２１先端側及び工具本体２１径方向外側に向けて開口する凹部２４が、円周方向に等間隔で複数形成されており、この凹部２４の工具回転方向Ｔ後方側には、前記切削インサート１０を装着するための取付座２５が設けられている。本実施形態では、凹部２４及び取付座２５がそれぞれ３０ヶ配置されている。
取付座２５の工具回転方向Ｔ後方側を向く壁面２５Ａは、図７及び図８に示すように、工具本体２１径方向外側及び先端側に向かうにしたがい漸次工具回転方向Ｔ後方側に後退するように傾斜させられている。
【００２９】
また、この取付座２５の工具回転方向Ｔ後方側部分には、切欠部２６が形成されており、この切欠部２６の工具本体２１径方向外側を向く壁面にはネジ孔２７が設けられている。この切欠部２６には、切削インサート１０を固定するためのクサビ部材３０が配置されており、クサビ部材３０には、両端に雄ネジ部が形成されたダブルスクリュ型のクランプネジ３２の一端が螺着されており、前記ネジ孔２７にクランプネジ３２の他端が螺着されている。
【００３０】
クサビ部材３０を切欠部２６に挿入した状態において、クサビ部材３０の工具回転方向Ｔ前方側を向く面が前記切削インサート１０を押圧する押圧面３１とされ、クサビ部材３０の工具回転方向Ｔ後方側を向く面は、図８に示すように取付座２５の工具回転方向Ｔ前方側を向く壁面に摺接させられている。なお、本実施形態においては、クサビ部材３０の進退方向は、軸線Ｏに対して約４５°傾斜している。
また、取付座２５には、クサビ部材３０の進退方向に対して略直交するように、工具本体２１の先端内周側から後端外周側にかけて延びる平面状のインサート受け面２８が形成されている。
【００３１】
前記構成とされた取付座２５に、切削インサート１０が装着されてフライスカッター２０が構成される。
切削インサート１０のひとつの八角形面１１をすくい面として、取付座２５の工具回転方向Ｔ後方側を向く壁面２５Ａに密着するように、かつ、インサート受け面２８に一つの側面１２が当接されるようにして切削インサート１０を取付座２５に配置する。この状態で、クサビ部材３０及びネジ孔２７に螺着されているクランプネジ３２を回動することでクサビ部材３０を工具本体２１内部へと挿入する。これにより、クサビ部材３０の押圧面３１が、切削インサート１０のすくい面と対向配置された他の八角形面１１を工具回転方向Ｔ前方側へと押圧し、切削インサート１０がこのクサビ部材３０の押圧面３１と取付座２５の工具回転方向Ｔ後方側を向く壁面２５Ａとによって挟持されて固定される。
【００３２】
このように切削インサート１０が取付座２５に装着されることにより、切削インサート１０は、図５に示すように、工具本体２１径方向外側及び先端側に向けられた切刃１３が主切刃１３Ａとされ、この主切刃１３Ａと軸線Ｏとがなす角度、いわゆるコーナ角θがθ＝４８°とされる。また、主切刃１３Ａの傾き角ψは、図７に示すように負側に設定され、本実施形態ではψ＝−２°とされている。また、主切刃１３Ａの真のすくい角φは、図８に示すように負側に設定され、本実施形態ではφ＝−６°とされている。
また、工具本体２１先端側には、前記軸線Ｏに略直交するように、主切刃１３Ａの先端側に連なる角部に形成された一対の副切刃１９のうち該主切刃１３Ａとは反対側の副切刃１９が配置される。
【００３３】
このようにして構成されたフライスカッター２０は、工具本体２１がアダプタ等を介して工作機械の主軸端に取り付けられ、工具本体２１をその軸線回りに高速回転するとともに軸線と交差する方向に送りを与えることにより、工具本体２１径方向外側及び先端側に向けられた切削インサート１０の主切刃１３Ａと工具本体２１先端側に向けられた副切刃１９によって被切削材を切削するものである。
【００３４】
この切削インサート１０は、２つの八角形面１１とこれら２つの八角形面１１と直交する側面１２との交差稜線部に切刃１３が設けられたネガティブタイプの切削インサート１０とされているので、刃先強度を確保して切削抵抗による切刃１３の欠損を防止できる。
また、２つの八角形面１１と側面１２との交差稜線部にそれぞれ切刃１３が形成されているので、一方の八角形面１１に８つの切刃１３が形成され、他方の八角形面１１にも８つの切刃１３が形成され、切削インサート１０が合計１６の切刃１３を有することになる。よって、これらの切刃１３を順次主切刃１３Ａとして使用することができ、切削インサート１０の使用コストを大幅に低減することができる。
【００３５】
さらに、切刃１３の内側に設けられたブレーカ溝１４がフラットランド部１８によって分割されているので、主切刃１３Ａによって生成された切屑が、他の切刃１３のブレーカ溝１４を擦過することがなく、前記切屑による他の切刃１３の損傷を防止できる。
また、フラットランド部１８の辺稜部に副切刃１９が形成されており、主切刃１３Ａの先端側に連なる角部に形成された一対の副切刃１９のうち該主切刃１３Ａとは反対側の副切刃１９が工具本体２１先端側に向けられて前記軸線Ｏに略直交するように配置される。そして、副切刃１９に連なる切刃１３は副切刃１９に対して工具本体２１径方向内側に向かうにしたがい工具本体２１後端側に向けて傾斜するように配置され、工具本体２１先端側に向けられた切刃１３が被切削材と接触することが防止される。
【００３６】
また、側面１２に対向する側から見て、ブレーカ溝１４が、前記ブレーカ溝１４の両端に配置された前記フラットランド部１８から離れるにしたがいそれぞれ前記八角形面１１から凹むように傾斜した一対の傾斜面１５、１５を有するＶ字状に形成されているので、切削インサート１０の切刃傾き角ψ及び真のすくい角φをそれぞれ負側となるようにして切削インサート１０を取り付けても、アキシャルレーキ角を正側にすることができ、切削抵抗を抑えて主切刃１３Ａによる切削加工を良好に行うことができる。本実施形態においては、切刃傾き角ψがψ＝−２°、真のすくい角φがφ＝−６°に設定されているが、フラットランド部１８の上面とブレーカ溝１４の傾斜面１５とがなす角度αが、０°＜α≦１５°の範囲内に設定され、より具体的にはα＝８°に設定されているので、アキシャルレーキ角が正とされている。
【００３７】
また、ブレーカ溝１４が、切削インサート１０の側面１２に対向する側から見てＶ字状をなすように形成されるとともに、角部には一対の副切刃１９が形成されているので、この切削インサート１０を、図５に示すような右回転の切削工具に使用する場合と同様に、左回転の切削工具に使用することができ、いわゆる勝手なしの切削インサートとすることができる。
【００３８】
さらに、切削インサート１０がクサビ部材３０によって挟持されているが、この切削インサート１０には各角部にまで達するフラットランド部１８が形成され、このフラットランド部１８の上面が八角形面１１と同一平面上に延びるように形成されているので、クサビ部材３０が主切刃１３Ａの近傍付近まで配置されて切刃１３のいわゆるオーバーハング量が小さくなる。よって、切削インサート１０に作用する切削抵抗をクサビ部材３０によって受けることができ、切削抵抗による切削イサートの欠損を防止できる。
【００３９】
また、この工具本体２１には、切削インサート１０の一つの側面１２が当接されるインサート受け面２８が形成されているので、切削インサート１０の位置はこのインサート受け面２８に沿って移動可能とされている。したがって、切削インサート１０を取付座２５に装着した状態で、専用の冶具を使用することにより切削インサート１０の先端部分を基準として切削インサート１０の位置調整を行うことができる。すなわち、第１の実施形態であるフライスカッター２０は、いわゆる刃先基準型のフライスカッター２０である。
【００４０】
次に、本発明の第２の実施形態について添付した図面を参照して説明する。この第２の実施形態では、装着される切削インサート１０は第１の実施形態と同一の構成とされ、工具本体２１が第１の実施形態と異なるものである。図９から図１４に、切削インサート１０が装着されて構成されるフライスカッター２０（切削工具）を示す。なお、第１の実施形態と同一の部材には同一の符号を付して詳細な説明を省略する。
【００４１】
第２の実施形態においては、工具本体２１に形成された取付座２５の工具本体２１先端側を向く壁面が第１インサート受け面２８Ａとされ、取付座２５の工具本体２１径方向外側を向く壁面が第２インサート受け面２８Ｂとされている。つまり、この取付座２５には、切削インサート１０の２つの側面１２がそれぞれ当接される２つのインサート受け面（第１、第２インサート受け面２８Ａ、２８Ｂ）が設けられているのである。
【００４２】
切削インサート１０は、図１３及び図１４に示すように、その側面１２をこれら第１、第２インサート受け面２８Ａ、２８Ｂにそれぞれ当接するようにして載置され、クサビ部材３０が挿入されて切削インサート１０が取付座２５に装着されてフライスカッター２０が構成される。
【００４３】
この構成のフライスカッター２０によれば、切削インサート１０の側面１２が第１、第２インサート受け面２８Ａ、２８Ｂに当接されているので、切削抵抗による切削インサート１０の位置ずれを確実に防止でき、切削加工を精度良く行うことができる。さらに、本実施形態では、切削抵抗の背分力が第１、第２インサート受け面２８Ａ、２８Ｂの交差部分に向けて作用することになり、切削インサート３０がこれら第１、第２インサート受け面２８Ａ、２８Ｂとに強く押圧され、切削インサート３０をさらに強固に固定することができる。
【００４４】
また、切削インサート１０の位置がこれら第１、第２インサート受け面２８Ａ、２８Ｂによって決定されるため、このフライスカッター２０においては切削インサート１０の位置調整を行う必要がない。すなわち、第２の実施形態であるフライスカッター２０は、いわゆるボディ基準型のフライスカッター２０である。
【００４５】
以上、本発明の実施形態について説明したが、本発明はこれに限定されることはなく、その発明の技術的思想を逸脱しない範囲で適宜変更可能である。
例えば、ブレーカ溝の切刃に直交する断面における八角形面と傾斜部とがなす角度βを０°＜β≦１５°の範囲内に、より具体的にはβ＝１０°に設定したものとして説明したが、この数値に限定されることはなく、前記角度βを任意に設定してもよい。ただし、前記角度βを０°＜β≦１５°とすることにより、切刃の強度を確保しつつ切削抵抗を低減できる。また、傾斜部に連なる凹曲線部の曲率半径Ｒ１についても、本実施形態に限定されることはなく、適宜設定することができる。
【００４６】
また、切削インサートの側面視において、フラットランド部の上面と傾斜面とがなす角度αを、０°＜α≦１５°の範囲内に、より具体的にはα＝８°に設定したものとして説明したが、この数値に限定されることはなく、前記角度αを任意に設定してもよい。ただし、前記角度αを０°＜α≦１５°とすることにより、切削インサートの真のすくい角φ、切刃傾き角ψを負側に設定しても、アキシャルレーキ角を正側に向かうように設定でき、切削抵抗を低減できるとともに、切刃の欠損を防止できる。
【００４７】
また、ブレーカ溝が、切削インサートの側面に対向する側から見て、一対の傾斜面を有してＶ字状をなすように形成されたものとして説明したが、これに限定されることはなく、ブレーカ溝が一つの傾斜面のみを有するものであってもよい。また、角部に一対の副切刃が形成されたものとして説明したが、これに限定されることはなく、角部にひとつの副切刃のみが形成されたものや副切刃が形成されていないものであってもよい。ただし、本実施形態のように構成することにより、右回転の切削工具及び左回転の切削工具に使用することができる。
【００４８】
また、クサビ部材を切削インサートの工具回転方向Ｔ後方側に配置したもので説明したが、これに限定されることはなく、クサビ部材を切削インサートの工具回転方向Ｔ前方側に配置したものであってもよいし、クサビ部材を使用せず他の方式で切削インサートを固定してもよい。ただし、クサビ部材を使用して固定する場合、切刃の近傍で切削インサートを固定でき、切削抵抗による切刃の欠損等を防止できる。
【００４９】
さらに、凹部及び取付座をそれぞれ３０ヶ設けたフライスカッターとして説明したが、これに限定されることはなく、凹部及び取付座の数は任意に設定でき、被切削材の材質や切削条件等を考慮して適宜設定することが好ましい。
【図面の簡単な説明】
【００５０】
【図１】本発明の実施形態である切削インサートの上面図である。
【図２】図１に示す切削インサートの側面図である。
【図３】図１に示す切削インサートの拡大側面図である。
【図４】図１におけるＸ−Ｘ断面図である。
【図５】図１に示す切削インサートが装着されて構成される切削工具の側面部分断面図である。
【図６】図５に示す切削工具の先端面図である。
【図７】図５におけるＹ方向矢視図である。
【図８】図５におけるＺ方向矢視図である。
【図９】図１に示す切削インサートが装着されて構成される他の切削工具の側面部分断面図である。
【図１０】図９に示す切削工具の先端面図である。
【図１１】図９におけるＹ方向矢視図である。
【図１２】図９におけるＺ方向矢視図である。
【図１３】図９におけるＶ方向矢視図である。
【図１４】図５におけるＷ方向矢視図である。
【符号の説明】
【００５１】
１０  切削インサート
１１  八角形面
１２  側面
１３  切刃
１４  ブレーカ溝
１５  傾斜面
１８  フラットランド部
１９  副切刃
２０  フライスカッター（切削工具）
２１  工具本体
２４  凹部
２５  取付座
３０  クサビ部材
２８Ａ  第１インサート受け面
２８Ｂ  第１インサート受け面
【図１】
2007260788.tif 000003
【図２】
2007260788.tif 000004
【図３】
2007260788.tif 000005
【図４】
2007260788.tif 000006
【図５】
2007260788.tif 000007
【図６】
2007260788.tif 000008
【図７】
2007260788.tif 000009
【図８】
2007260788.tif 000010
【図９】
2007260788.tif 000011
【図１０】
2007260788.tif 000012
【図１１】
2007260788.tif 000013
【図１２】
2007260788.tif 000014
【図１３】
2007260788.tif 000015
【図１４】
2007260788.tif 000016